Podtech/llm-jp-corpus-v4-ja_patent huggingface dataset:
(57)【要約】      （修正有）【課題】複数の挿入ガイドを設けた挿入器を治具本体上面定位置に着脱自在に設置し、基板を素早く治具本体内に確実に配置する事を可能にする基板表面処理治具を提供する。【解決手段】基板の表面処理の前工程として、治具本体２の上に挿入器３を設置し、基板を挿入ガイドの間に１枚ずつ挿入する。挿入ガイドは挿入器３の幅全体に渡って配置されており、この挿入ガイドの案内機能により、基板は撓む事無く容易に、治具本体２の両側両部に垂直に設けたガイドレールに導かれ、整列配置される。治具本体２の両側面にあるクランプレバーを、カチッと音が鳴るまで下方に倒す事で、クランプ圧縮突起が、間に基板が入らない側のガイドレールを押し広げ、結果的に、基板が挿入されたガイドレールを圧縮し、基板を拘束する。【選択図】図１
0003163807.tif 000002
【実用新案登録請求の範囲】
【請求項１】
基板（Ｋ）を挿入するための上端部をＹ字形にした複数の対のガイドレール（２１，２２）と、該ガイドレール（２１，２２）に挿入された基板（Ｋ）を固定及び解除するためのガイドレール（２１，２２）同士の間に配置したクランプ圧縮突起（５２）を側方内側に配置し該クランプ圧縮突起（５２）を上下させるクランプレバー（５１）を側方外側に備えた治具本体（２）と、治具本体（２）のガイドレール（２１，２２）にかみ合うように配置された複数の挿入ガイド（３１，３２）を設けた挿入器（３）とで構成され、挿入器（３）は治具本体（２）上面定位置に着脱自在に設置されていることを特長とする基板表面処理治具（１）。
【考案の詳細な説明】
【技術分野】
【０００１】  本考案は、基板の表面処理を行う際に、基板を固定する治具に関するものである。
【背景技術】
【０００２】  従来、基板等の表面処理を行う際には、基板を１枚ずつクランプで固定するやり方や、ラックに複数枚の基板を挿入して表面処理を行う方法がとられていた。
【先行技術文献】
【特許文献】
【０００３】
【特許文献１】  特開平  １０−  ５６２５２号  公報
【特許文献２】  特開２００７−３２１２４２号  公報
【考案の概要】
【考案が解決しようとする課題】
【０００４】  薄く反りやすい基板を表面処理する場合、特許文献１の発明においては、基板を配置する際、治具左右に配置された基板挿入溝が基板端部を僅かしか保持できないため、挿入しづらく、又、基板が起立状態を保持し続ける事ができないため、基板を治具内の定位置に、手早く配置する事が困難であり、且つ、単に挿入しただけでは基板の固定力が薄弱な事から、外圧による基板同士の接触や、治具から脱落する危険性がある。【０００５】  現在一般的に利用されている、特許文献２の様な、基板の上部を複数箇所クリップ等で掴んで固定する方法では、液中から引き上げる際、基板の直上でクリップが処理用液を汲み上げて付着させてしまい、被処理材や設備に対し、品質面や商品的に悪影響を及ぼしている【０００６】  本考案は、前述の問題点を解消した治具の提供を目的とするものである。
【課題を解決するための手段】
【０００７】  本考案は、基板（Ｋ）を挿入するための上端部をＹ字形にした複数の対のガイドレール（２１，２２）と、該ガイドレール（２１，２２）に挿入された基板（Ｋ）を固定及び解除するためのガイドレール（２１，２２）同士の間に配置したクランプ圧縮突起（５２）を側方内側に配置し該クランプ圧縮突起（５２）を上下させるクランプレバー（５１）を側方外側に備えた治具本体（２）と、治具本体（２）のガイドレール（２１，２２）にかみ合うように配置された複数の挿入ガイド（３１，３２）を設けた挿入器（３）とで構成され、挿入器（３）は治具本体（２）上面定位置に着脱自在に設置されていることを特長とする基板表面処理治具（１）である。
【考案の効果】
【０００８】  本考案は、治具本体上部に設けた挿入器の案内により、挿入時における基板の反りを無くし、起立状態を維持したまま、素早く確実に配置する事を可能にし、且つ、挿入器を取り外す事により、処理用液の汲み上げを無くした。また、クランプによる拘束機能を付加する事により、外圧による脱落や位置ズレによる問題点を解消した。
【図面の簡単な説明】
【０００９】
【図１】  本考案の基板表面処理治具全体の図である。
【図２】  本治具の基板の表面処理を行う際に使用する本体部分の図である。
【図３】  本治具の本体に基板を配置する際に使用する挿入器の図である。
【図４】  図３の挿入器の基板挿入断面拡大図である。
【図５】  本治具の本体に係るクランプ部の図である。
【図６】  図５のクランプ部の拡大図である。
【図７】  従来の基板表面処理治具の図である。
【考案を実施するための形態】
【００１０】  基板（Ｋ）の表面処理の前工程として、治具本体（２）の上に挿入器（３）を設置し、図４の様に基板（Ｋ）を挿入ガイド（３１，３２）の間に１枚ずつ挿入する。挿入ガイド（３１，３２）は挿入器（３）の幅全体に渡って配置されており、この挿入ガイド（３１，３２）の案内機能により、基板（Ｋ）は撓む事無く容易に、治具本体（２）のガイドレール（２１，２２）の間に導かれ、確実に整列配置される。
【００１１】  治具本体（２）の両側面にあるクランプレバー（５１）を、カチッと音が鳴るまで下方に倒す事で、クランプ圧縮突起（５２）が、間に基板が入らない側のガイドレール（２１，２２）を押し広げ、結果的に、基板（Ｋ）が挿入されたガイドレール（２１，２２）を圧縮し、基板（Ｋ）を確実に拘束する。
【００１２】  表面処理工程に際しては、挿入器（３）の両側面の挿入器持手（３３）を持ち上げ、治具本体（２）から挿入器（３）を取り外し、治具本体（２）を表面処理液漕に浸漬させて表面処理を行い、表面処理が完了した段階で、治具本体（２）を液漕から出し、最終的にクランプレバー（５１）を前述と逆方向に回転させ、基板（Ｋ）の拘束を解除し、治具本体（２）より基板（Ｋ）を取り出す。
【符号の説明】
【００１３】１  基盤表面処理治具
２  治具本体
２１  ガイドレールａ
２２  ガイドレールｂ
３  挿入器
３１  挿入ガイドａ
３２  挿入ガイドｂ
３３  挿入器持手
５  クランプ部
５１  クランプレバー
５２  クランプ圧縮突起
７  従来の治具
Ｋ  基板
【図１】
0003163807.tif 000003
【図２】
0003163807.tif 000004
【図３】
0003163807.tif 000005
【図４】
0003163807.tif 000006
【図５】
0003163807.tif 000007
【図６】
0003163807.tif 000008
【図７】
0003163807.tif 000009
(57)【要約】      （修正有）【課題】傘の柄の部分にＬＥＤライトを組み込み傘と懐中電灯を組合せたライト付傘を提供する。【解決手段】傘の柄を下にしたとき、柄の下部にＬＥＤライトを組み込み、直部に単３乾電池を２本内蔵したもで、曲がった先端の部分に、ＯＮ，ＯＦのプッシュスイッチっを取り付ける。ＬＥＤライトは、直下用と中間点用および前方用に分けて配置しても良い。柄そのものは樹脂製でも金属製のものでも良い。【選択図】図１
0003163804.tif 000002
【実用新案登録請求の範囲】
傘の柄にＬＥＤライトと電池を組み込み、傘と懐中電灯を１体にしたもの。
【考案の詳細な説明】
【考案の詳細な説明】
雨や雪の夜間外出に従来懐中電池と傘を両手に持って行動していたものを、傘と懐中電池を合体させて片手にて使用でき、特に田舎の街灯の少ない所ではその行動力が倍増するのでは。
【図１】
0003163804.tif 000003
【手続補正書】
【提出日】平成22年8月25日(2010.8.25)
【手続補正１】
【補正対象書類名】明細書
【補正対象項目名】全文
【補正方法】変更
【補正の内容】
【考案の詳細な説明】
【考案の詳細な説明】
雨や雪の夜間外出に従来懐中電池と傘を両手に持って行動していたものを、傘と懐中電池を合体させて片手にて使用でき、特に田舎の街灯の少ない所ではその行動力が倍増するのでは。
【図面の簡単な説明】
【図１】本考案の断面図
(57)【要約】      （修正有）【課題】複数の色を塗る作業の際に、片手に複数下げ缶を持ったり、色を替えるために下げ缶用内容器を入れ替える必要を少なくした下げ缶用仕切り付容器を提供する。【解決手段】下げ缶用内用器の内側に周囲と同じ高さの仕切り１を設ける。一つの下げ缶で２色使い分けることができるので、片手に持つ下げ缶の数や持ち替える回数が、従来の半分になるため、作業の効率が上がる。【選択図】図１
0003163808.tif 000002
【実用新案登録請求の範囲】
【請求項１】
仕切りをした下げ缶用内容器
【考案の詳細な説明】
【技術分野】
【０００１】この考案は、下げ缶用内容器の形状に関する。
【背景技術】
【０００２】  従来の下げ缶用内容器は、一つの容器につき一色しか使用できない容器であった。
【先行技術文献】
【考案文献】
【０００３】
【考案文献】
実用新案公開平６−７５３３４
【考案の概要】
【考案が解決しようとする課題】
【０００４】  しかしながら、以上の技術によれば、複数の色を塗る作業の際に、片手に複数下げ缶を持ったり、色を替えるために下げ缶用内容器を入れ替える必要があった。特に脚立の上など高所で作業する場合は、片手に複数の下げ缶を持ったり、何度も下げ缶を持ち替えることは、危険であり、効率が悪い。
そこで、この考案は、一つの下げ缶で２色使い分けることができるので、片手に持つ下げ缶の数や持ち替える回数が、従来の半分になるため、作業の効率が上がる。
【課題を解決するための手段】
【０００５】  本考案は、下げ缶用内容器の内側に、周囲と同じ高さの（１）のような仕切りを設ける。本考案は、以上のような構成によりなる塗装道具である。
【考案の効果】
【０００６】  一つの下げ缶で２色使い分けることができるので、片手に持つ下げ缶の数や持ち替える回数が、従来の半分になるため、作業の効率が上がる。
【考案を実施するための最良の形態】
【０００７】  下げ缶用内容器の内側に周囲と同じ高さの仕切りを設ける。
【実施例】
【０００８】  図１を参照して説明すると、下げ缶用内容器の中に塗料を二分割させる為の仕切り（１）を設ける。
【産業上の利用可能性】
【０００９】  本考案は、下げ缶内容器の内側がニ分割に仕切られている分割型の内容器である。
【図面の簡単な説明】
【００１０】
【図１】この考案の実施形態を示す斜視図である。
【図２】従来技術を示す斜視図である。
【考案を実施するための形態】
【００１１】  この考案の実施形態を図１に示す。
下げ缶用内容器内側に、周囲と同じ高さの（１）のような仕切りを設ける。
【考案形態の効果】
【００１２】  一つの下げ缶で２色使い分けることができるので、片手に持つ下げ缶の数や持ち替える回数が、従来の半分になるため、作業の効率が上がる。
【符号の説明】
【００１３】図１の（１）仕切り
【図１】
0003163808.tif 000003
【図２】
0003163808.tif 000004
(57)【要約】【課題】  取り外し可能な食器を設けた殻入れ容器、および収納に便利な殻入れ付き食器を提供する。【解決手段】  多角形の口を有する殻入れ容器の口の部分に、殻入れ用の隙間を設ける形状の食器を備えた。多角形の口をした容器の角の部分と食器の間に隙間を作ることにより、その隙間から殻を殻入れ容器に入れることが出来る。食器を回転させて取り付け位置を変えることにより食器を殻入れ容器の中に収納する。【選択図】図１
0003163824.tif 000002
【実用新案登録請求の範囲】
【請求項１】
多角形の殻入れ容器の上部に取り外し可能な食器を設け、殻入れ容器の角の部分と食器の間に隙間を有する殻入れ付き食器で、食器の取り付け位置角度を変えることにより殻入れ容器内に食器を収納することが出来る殻入れ付き食器。
【考案の詳細な説明】
【技術分野】
【０００１】  本件は殻入れ容器を備えた食器に関するものである。
【背景技術】
【０００２】  殻を有する食物を食した後、食物の殻を別の容器に入れている。
【先行技術文献】
【特許文献】
【０００３】
【特許文献１】特開２００７−１９０３３６号
【考案の概要】
【考案が解決しようとする課題】
【０００４】  取り外し可能な殻入れ容器を設けた食器、および収納に便利な殻入れ付き食器を提供する。
【課題を解決するための手段】
【０００５】  多角形の口を有する殻入れ容器の口の部分に、殻入れ用の隙間を設ける形状の食器を備えた。多角形の口をした容器の角の部分と食器の間に隙間を作ることにより殻を殻入れ容器に入れることが出来る。さらに食器を回転させることによりその食器を殻入れの中に収納する事が可能である。
【考案の効果】
【０００６】  上記の殻入れ付き食器は殻入れの上に食器を設けてあるので食卓上で場所を取らない。食器を回転させれば殻入れの中にその食器を収納することが出来るので重ねて収納することが可能である。殻入れ容器の高さの分食器の位置が高くなるので食物にボリューム感を持たせることが出来る。
【図面の簡単な説明】
【０００７】
【図１】殻入れ付き食器の斜視図である。
【図２】殻入れ付き食器の食器を収納した状態の斜視図である。
【考案を実施するための形態】
【０００８】  まず多角形の殻入れ容器を用意する。この殻入れ容器には特に穴を開けたり凹みを付けたりする必要はない。次にその殻入れ容器の角の部分に殻入れ用の隙間が出来るような形状の食器を、殻入れ容器の上部に設ける。食器は殻入れ容器と脱着可能とする。食器は回転させることにより殻入れ容器内に収納可能な形状とする。つまり殻入れ用の隙間部分に位置する食器の側面が、食器を回転させたときに殻入れ容器の内面に納まる形状である。食器の取り付け位置は殻入れ容器の縁の上部でも良いし縁の内側でも良い。つまり本発明は、多角形の殻入れ容器の上部に取り外し可能な食器を設け、殻入れ容器の角の部分と食器の間に隙間を有する殻入れ付き食器で、食器の取り付け位置角度を変えることにより殻入れ容器内に食器を収納することが出来る殻入れ付き食器である。この脱着可能な多角形の殻入れ容器の縁は必ずしも直線的でなくても良く、少し円みを持った形状にすることも可能である。
【実施例】
【０００９】  以下、添付図面に従って実施例を説明する。図１は本発明の殻入れ付食器の斜視図である。本実施例の殻入れ容器１は四角形である。脱着可能な食器２が殻入れ容器の上部に設けられている。この場合の食器２の位置は殻入れ容器１の縁の上にあるが殻入れ容器内面４に食器外面６が接触していても可能である。食器２と殻入れ容器１の角の部分に隙間３を設けることにより殻を殻入れ容器１に入れることが出来る。食器外面５の形状は食器２を回転させたときに殻入れ容器内面４の内側に食器外面５が納まるような形状になっている。本実施例の場合、食器２を４５度回転することにより図２のように食器２を殻入れ容器１内に収納することが可能である。
【産業上の利用可能性】
【００１０】  本発明の殻入れ付き食器は食卓上の殻入れを置く場所を省くことが出来るので飲食店などで利用すれば食卓上に多くの食品を乗せることが出来る。また、殻入れの口部分に備えた食器は殻入れの中に収納が可能なので、複数の殻入れ付き食器を重ねて保管することが可能である。本発明品を飲食店など多数使用する場合でも保管場所を取らない。
【符号の説明】
【００１１】  １  殻入れ容器
２  食器
３  殻入れ用隙間
４  殻入れ内面
５  食器外面
６  食器外面
【図１】
0003163824.tif 000003
【図２】
0003163824.tif 000004
(57)【要約】      （修正有）【課題】除草剤噴霧機で除草材を噴霧する際に除草剤の飛沫が斜め方向へ飛散しないように噴霧部に着脱可能に取り付ける円筒型の覆いからなる除草剤飛散防止装置を提供する。【解決手段】円筒型覆１は、これにバネ付開閉ドアを設け、開閉ドアを開いて除草機の噴霧部を入れ、同ドアを閉じてこれを固定することによつて、除草機に取り付ける。除草機の噴霧部や大小各様のパイプ３にも適用できる。パイプ３の曲ったものでも直線状のものでも、何れも噴霧口２が真下を向くように調整する。【選択図】図１
0003159506.tif 000002
【実用新案登録請求の範囲】
【請求項１】
市販の噴霧式除草機には、噴霧口の大小またパイプの大小や先が２０度ほど曲ったもの直線のもの等があるが、どれにも取付り調整簡単な円筒型飛散防止装置。
【考案の詳細な説明】
【技術分野】
【０００１】
本考案は、市販の大部分の噴露式除草機に簡単に着脱できる円筒型飛散防止装置。
【考案の概要】
【考案が解決しようとする課題】
【０００２】
市販の多くの除草剤原液の注意書きには、使用の際は長袖、長ズボン、手袋、マスクを着用し作業終了後は直ちに手や顔を洗いウガイをするよう書いてある。
併し、使用時風向きによっては作業者や他の植物に飛沫が飛ぶこともあり、その危険を完全に防ぐため考案した除草剤飛散防止装置であり、市販の殆んどの噴霧式除草機に装着可能。
【課題を解決するための手段】
【０００３】
本考案は、作業中飛沫が斜め方向へ飛散しないように噴霧部に円筒型の覆いを装着。
【考案の効果】
【０００４】
除草剤原液の説明によれば地面に落ちた飛沫はすぐ分解され無害となると書かれている、約３年間の実験でトマト、ナス、トウモロコシ畑の雑草駆除に使用した結果トマト、ナス、トウモロコシには全く被害がなく雑草のみ駆除に成功、なお作業中人体への飛散は全くなかった。
【考案を実施するための最良の形態】
【０００５】
市販の除草機の噴霧部やパイプの外経には大小あり何れにも適応するようにバネ付開閉ドアー式とし、パイプの曲つたもの直線のもの、何れも噴霧口が真下を向くように調整可能とする。
【図面の簡単な説明】
【０００６】
【図１】図１は側面図
【図２】図２は平面図
【符号の説明】
【０００７】
１    円筒本体ステンレス薄鈑
２    噴霧口
３    パイプ
４    支持鈑
５    調整用溝
６    蝶ネジ
７    バネ付開閉ドア
８    噴霧部通し穴
９    ドアー開閉軸
１０    支持鈑固定リベット  
１１    支持鈑
１２    パイプ穴
１３    バネ
【図１】
0003159506.tif 000003
【図２】
0003159506.tif 000004
【手続補正書】
【提出日】平成22年2月23日(2010.2.23)
【手続補正１】
【補正対象書類名】実用新案登録請求の範囲
【補正対象項目名】全文
【補正方法】変更
【補正の内容】
【実用新案登録請求の範囲】
【請求項１】
除草剤噴霧機の除草剤噴出口の周囲を覆う円筒形覆いであって、前記噴霧機に着脱可能にしたことを特徴とする除草剤飛散防止装置。
【手続補正２】
【補正対象書類名】明細書
【補正対象項目名】全文
【補正方法】変更
【補正の内容】
【考案の詳細な説明】
【技術分野】
【０００１】  本考案は、市販の除草剤噴霧機に簡単に着脱できる除草剤飛散防止装置に関するものである。
【考案の概要】
【考案が解決しようとする課題】
【０００２】  市販の多くの除草剤噴霧機の注意書きには、使用の際は長袖、長ズボン、手袋、マスクを着用し、作業終了後は直ちに手や顔を洗いウガイをするよう書いてある。
併し、使用時風向きによっては作業者や他の植物に除草剤の飛沫が飛ぶこともある。その危険を完全に防ぐための除草剤飛散防止装置を提供するのが、本考案の課題である。
【課題を解決するための手段】
【０００３】  本考案は、市販の除草剤噴霧機で除草剤を噴霧する際に除草剤の飛沫が斜め方向へ飛散しないように噴霧部に着脱可能に取り付ける円筒型の覆いである。
【考案の効果】
【０００４】  除草剤原液の説明によれば地面に落ちた飛沫はすぐ分解され無害となると書かれている。約３年間の実験でトマト、ナス、トウモロコシ畑の雑草駆除に使用した結果トマト、ナス、トウモロコシには全く被害がなく雑草のみ駆除に成功した。本考案の覆い使用して作業をしたところ、作業中に人体への飛散は全くなかった。
【考案を実施する形態】
【０００５】円筒型覆は、これにバネ付開閉ドアを設け、開閉ドアを開いて除草機の噴霧部を入れ、同ドアを閉じてこれを固定することによつて、除草機に取り付ける。除草機の噴霧部や大小各様のパイプにも適用できる。パイプの曲つたもの直線状のもの、何れも噴霧口が真下を向くように調整できる。
【図面の簡単な説明】
【０００６】
【図１】図１は側面図
【図２】図２は平面図
【符号の説明】
【０００７】  １  円筒本体ステンレス薄板
２  噴霧口
３  パイプ
４  支持鈑
５  調整用溝
６  蝶ネジ
７  バネ付開閉ドア
８  噴霧部通し穴
９  ドアー開閉軸
１０  支持鈑固定リベット
１１  支持鈑
１２  パイプ穴
１３  バネ
(57)【要約】      （修正有）【課題】和服の袖を着脱自在にすることにより、色や模様などのデザインの異なる他の袖に付け替えたりして、着用を一層楽しむことができるようにした和服を提供する。【解決手段】胴体部と袖部を別仕立てにし、胴体側肩口部に紐穴もしくはボタン穴を設けた部分に、袖側肩口部に付けた紐もしくはボタンで袖を取り付けたり、取り外したりすることによって、袖の着脱を可能とした和服を構成する。さらに、すべての製品を胴体側肩口部に設ける紐穴もしくはボタン穴を同じ仕組みにし、一方、袖側肩口部に取り付ける紐もしくはボタンを同規格のものにすることで、他の色違いや異なるデザインの袖や、さらに同じ仕立てで作成した他の和服の袖とを交換して着用できるようにしても良い。【選択図】図１
0003159501.tif 000002
【実用新案登録請求の範囲】
【請求項１】
紐やボタン類などを用いて袖を着脱する機能を有する和服
【請求項２】
袖を取り外し、他の異なるデザインの袖を取り付け着用できる和服
【考案の詳細な説明】
【考案の詳細な説明】
【技術分野】
【０００１】  この考案は、紐やボタン類を用いて、浴衣など和服の本体と袖を取り付ける仕様とすることにより、袖を取り外したりたり、付け替えたりすることができるようにしたものである。
【背景技術】
【０００２】  従来、洋服のジャンパー類などにおいては、寒暖の調節のためにボタンやマジックテープ等を用いて、長袖をしゃくり上げる様式のものは見られた。しかしながら真夏に着る浴衣をはじめ和服類においては、袖も重要なデザイン部分と考えられているのか、一切そのような仕様には為されていなかった。
【考案が解決しようとする課題】
【０００３】  そのために、京都の祇園祭をはじめ全国で行われる夏祭りの中で、若者を中心として多くの人々が、酷暑の中で浴衣がしわになるのも気にせず両袖をまくり上げ、またすぐにずり落ちてくる袖を何度もたくし上げている姿が、持っている団扇とともに目をひく光景となっている。若い女の人ですら両腕をあらわにしているし、特に幼い子ども達にとっては、うだるような蒸し暑さの中で、折角着せてもらった浴衣の袖の暑苦しさ、煩わしさを恨めしく思っているのではないかと強く感じてきた。
本考案は、このように袖の暑さや煩わしさが気になる時や、不要な時には取り外すことができるようにしたものである。さらに加えて、本来の付随の袖に取り替えて、色や柄のデザインの違うお気に入りの別の袖を付けたり、他の人の袖と交換して付け合うことを楽しむこともでき、和服の着用を一層楽しめるようにするものである。
【課題を解決するための手段】
【０００４】  これを図面によって説明すると、［図１］の正面（部分斜視）図において、和服本体の肩部分の１，２，３で示す紐取り付け箇所に、袖側のそれぞれ、４，５，６で示す紐を取り付けたり、取り外したりすることで着脱をする仕組みである。
［図２］の正面図は１，２の紐取り付け箇所に、それぞれ４，５の紐を取り付けた状態を示した図である。
［図３］の背面図は袖を取り付けた時に背面から、それぞれ４，６の紐が見える状態を示す。
【考案を実施するための形態】
【０００５】  以上の仕組みにより、和服の本体側の紐を取り付ける仕様にした箇所もしくはボタン穴に、袖側の紐もしくはボタンを取り付けることによって、本来の袖を取り付けたり、その袖を取り外したり、さらには異なるデザインの袖を取り付けたりすることが可能となる。
【考案の効果】
【０００６】  この考案により、真夏の暑さの中では子ども達をはじめとして、多くの人が袖を外したノースリーブ状の浴衣を気軽に着て、一層涼しく祭りや夜店を楽しんだりするのではないか。また、浴衣だけでなく各種の和服にもっと親しみ、楽しんで着たいと思うおしゃれな人が、複数の気に入ったデザインの袖を付け替えて着こなしたり、親しい友人と互いの袖を交換して着ることも楽しめ、浴衣や和服の着用が、一層広がるのではないかと考える。
【図面の簡単な説明】
【図１】  本考案の正面（部分斜視）図で、袖を取り外した状態を示す。〔符号の説明〕１，２，３は、紐取り付け箇所である。４，５，６は、紐である。
【図２】  本考案の正面図である。斜線部分は肩部分と袖部分の重なり部分を示す。〔符号の説明〕１，２は紐の取り付け箇所である。４，５は紐（結んだ状態）である。
【図３】  本考案の背面図である。斜線部分は、肩部分と袖部分の重なり部分を示す。〔符号の説明〕１，３は紐の取り付け箇所である。４，６は紐（結んだ状態）である。
【図１】
0003159501.tif 000003
【図２】
0003159501.tif 000004
【図３】
0003159501.tif 000005
【手続補正書】
【提出日】平成21年12月25日(2009.12.25)
【手続補正１】
【補正対象書類名】実用新案登録請求の範囲
【補正対象項目名】全文
【補正方法】変更
【補正の内容】
【実用新案登録請求の範囲】
【請求項１】
胴体部と袖部を別仕立てにし、胴体側肩口部に紐穴もしくはボタン穴を設け、そこに袖側肩口部に付けた紐もしくはボタンを取り付けたり、取り外したりすることによって、袖を着脱する仕様にした和服
【請求項２】
袖を着脱する仕様［請求項１］を一定の規格にすることで、同仕様にした色違いや異なるデザインの袖、さらに同仕様の他の和服の袖とを交換して着用できる和服
【手続補正２】
【補正対象書類名】明細書
【補正対象項目名】０００２
【補正方法】変更
【補正の内容】
【０００２】  従来、洋服のジャンパー類などにおいては、寒暖の調節のためにボタンやマジックテープ（登録商標）等を用いて、長袖をしゃくり上げる様式のものは見られた。しかしながら真夏に着る浴衣をはじめ和服類においては、袖も重要なデザイン部分と考えられているのか、一切そのような仕様には為されていなかった。
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
胴体部と袖部を別仕立てにし、胴体側肩口部に紐穴もしくはボタン穴を設けた部分に、袖側肩口部に付けた紐もしくはボタンで袖を取り付けたり、取り外したりすることによって、袖の着脱を可能とした和服
【請求項２】
胴体部と袖部を別仕立てにし、胴体側肩口部に紐穴もしくはボタン穴を設けた部分に、袖側肩口部に付けた紐もしくはボタンで袖を取り付けたり、取り外したりすることによって、袖の着脱を可能としたことを特徴とする［請求項１］記載の和服において、すべての製品を胴体側肩口部に設ける紐穴もしくはボタン穴を同じ仕組みにし、一方、袖側肩口部に取り付ける紐もしくはボタンを同規格のものにすることで、他の色違いや異なるデザインの袖や、さらに同じ仕立てで作成した他の和服の袖とを交換して着用できる和服
(57)【要約】      （修正有）【課題】簡単に且つ安全に賞状をセットできる賞状額を提供する。【解決手段】賞状額の四辺の縁の内、一辺のみは固定せず、その縁の両端の片側を賞状額本体にピンで止めて、スイングして開閉できるようにする。【選択図】図４
0003159503.tif 000002
【実用新案登録請求の範囲】
【請求項１】
賞状額で賞状をセットする時に、裏蓋を外してセットしていた物を、裏蓋を固定し、額縁の一辺を脱着式にして、賞状のセットが簡単にできるところを特徴とするらくらく賞状額。
【考案の詳細な説明】
【技術分野】
【０００１】  本考案は、賞状を一辺から簡単にセットできる、賞状額に関するものである。
【背景技術】
【０００２】  賞状額に賞状をセットする場合、裏蓋を取り外し、賞状額をはめ込んだ後、さらに蓋のはずれ防止のフックをセットしていた。
【考案の概要】
【考案が解決しようとする課題】
【０００３】裏蓋を取り外しての作業は、裏返してはずれ防止フックの解除とセットの作業が必要。
また、裏蓋を外したときにガラスもはずれ割れてしまう可能性がある。
さらに、はずれ防止フックは自然に緩んできて、外れてしまうことがある。
【課題を解決するための手段】
【０００４】本考案は、取り外して賞状を入れる方法の裏蓋を廃止して、裏蓋は固定し、額縁のサイド一箇所から賞状額を入れられるように、サイド部分の縁をワンタッチ差込式にして、裏蓋の取り外し作業及び裏蓋はずれ防止フックを廃止することで、自然に裏蓋が外れることも無くなる。
【考案の効果】
【０００５】上記の様に、ワンタッチで賞状をセットできることと、裏蓋の取り外し及び、ガラス落下の心配が不要になり、安心して賞状をセットでき、ケガ防止にもなる。
【図面の簡単な説明】
【０００８】
【図１】本考案のらくらく賞状額の正面図である。
【図２】本賞状額の裏面図である。
【図３】本賞状額の側面図である。
【図４】本賞状額の脱着式縁を開いた図である。
【考案を実施するための形態】
【０００６】賞状額の一辺が脱着式で、外したときに賞状が差し込みできるように隙間があり、そこに賞状を差し込む。脱着の部分の片側一箇所は本体にネジにて取り付けてあるため落下の心配も無く、脱着がワンタッチで可能である。
【実施例】
【０００７】以下、添付図面に従って実施例を説明する。賞状額本体は、木製等適宜素材にて部分的に組立された本体。２は透明なガラスもしくはアクリル、プラスチック板等で本体に接着してある。裏面のパネルはネジ５にて固定する。脱着式の一辺３はピン４にて可動できるように枢着、開閉自在となる。賞状の位置は裏面パネルの窓６で調整する。
【符号の説明】
【０００９】１  賞状本体
２  透明なガラスもしくはアクリル、プラスチック板
３  脱着式縁
４  ピン
５  ネジ
６  賞状位置調整窓
【図１】
0003159503.tif 000003
【図２】
0003159503.tif 000004
【図３】
0003159503.tif 000005
【図４】
0003159503.tif 000006
【手続補正書】
【提出日】平成22年1月21日(2010.1.21)
【手続補正１】
【補正対象書類名】実用新案登録請求の範囲
【補正対象項目名】全文
【補正方法】変更
【補正の内容】
【実用新案登録請求の範囲】
【請求項１】
賞状額の四辺の縁（フレーム）の内、一辺のみは固定せず、その縁（フレーム）の両端の片側を賞状額本体にピンで止めて、スイングして開閉できるようにし、スイングして開いた側面から簡単に賞状を入れられるところを特徴とするらくらく賞状額。
(57)【要約】      （修正有）【課題】平面的に設置されるソーラーパネルの面積を縮小するために立体型にし、かつ簡易な光導入方式を採用した太陽エネルギー集光装置を提供する。【解決手段】筒５内の内側に張り付けたソーラーパネル４に筒の中央に取り付けた集光レンズ１と光を導入、拡散させる柱状のプリズム２から太陽光を照射し電気エネルギーを得る。【選択図】図３
0003159504.tif 000002
【実用新案登録請求の範囲】
【請求項１】
筒型（円、角）の内側に取り付けたソーラーパネルに簡素且つ効率よく太陽光を照射する、集光レンズと光を分散するプリズムを一体化して取り付けた拡張型の太陽エネルギー集光装置
【考案の詳細な説明】
【技術分野】
【０００１】  本考案は太陽エネルギーを効率よく活用する為に考えた装置に関するもの
【背景技術】
【０００２】  ソーラーパネルの設置には広い面積を必要とする難点を解決しなければ太陽エネルギーの効率良い活用が妨げられる背景がある為
【考案の開示】
【考案が解決しようとする課題】
【０００３】  平面的に設置されるソーラーパネルを立体的にする事と簡素に太陽光を導く事
【課題を解決するための手段】
【０００４】  そこで（図１）、（図２）、（図３）の▲５▼の筒の内側にソーラーパネルを張り付ける事で立体化し（図３）の▲１▼の広角のレンズでＳ（太陽光）を広い角度で集光し、広角の集光レンズと一体化した（図２）、（図３）の▲２▼の光を分散する柱状のプリズムを筒内の中央に設置する。（図１）、（図３）の▲３▼の部分は透過性の材質にして、（図３）の▲６▼の部分は鏡面にする。
【考案の効果】
【０００５】  これらの手段を講じる事により従来の平面設置に要する面積を縮小する事が出来て、既に考案されている、鏡や複雑なプリズムなどを使用した物より（図３）の▲１▼と▲２▼を一体化した物を取り付けた簡素な物で（図１）、（図３）の▲１▼から集光したＳ、（太陽光）を（図２）、（図３）の▲２▼に導き（図１）、（図２）、（図３）の▲５▼の筒の内側に張り付けた▲４▼（ソーラーパネル）に▲２▼から分散して照射し太陽エネルギーを電気エネルギーに変換する。それに（図１）（図２）、（図３）の形状のユニットにすることにより（図３）の▲７▼の電気エネルギー出力端子を付けることによって（図３）の▲８▼の基盤に差し込みユニットの数を増やし拡張する事で電気エネルギーの回収を拡大する事ができる。
【考案を実施するための最良の形態】
【０００６】  （図１）（図２）（図３）に示したように筒型（円、角）の内側にソーラーパネルを張り付けた物の中央に（図１）（図３）の▲１▼と▲２▼の広角の集光レンズと光を導入し筒内に光を拡散させる柱状のプリズムを一体化した物を取り付けた簡素な形態が好ましい。尚、▲１▼と▲２▼の部分の材質はアクリル等を使用し計量を軽くした方がより良い。それから筒の長さは▲１▼と▲２▼の性能に合わせ伸ばすことができる。
【図面の簡単な説明】
【０００７】
【図１】本考案の上面図
【図２】本考案の上面からの断面図
【図３】本考案の正面からの断面図
【符号の説明】
【０００８】▲１▼      集光レンズ
▲２▼      光分散プリズム
▲３▼      透過性の上蓋
▲４▼      ソーラーパネル
▲５▼      筒
▲６▼      内側が鏡面の底
▲７▼      電気エネルギー出力端子
▲８▼      電気エネルギー出力端子受け基盤
Ｓ        太陽光
【図１】
0003159504.tif 000003
【図２】
0003159504.tif 000004
【図３】
0003159504.tif 000005
【手続補正書】
【提出日】平成22年3月3日(2010.3.3)
【手続補正１】
【補正対象書類名】実用新案登録請求の範囲
【補正対象項目名】全文
【補正方法】変更
【補正の内容】
【実用新案登録請求の範囲】
【請求項１】
円柱或いは角柱の筒状部材の内側に取り付けたソーラーパネルに簡素且つ効率良く太陽光を照射する、集光レンズと光を分散するプリズムを一体化して取り付けた拡張型の太陽エネルギー集光装置
(57)【要約】      （修正有）【課題】はがき紙面の全域を活用したデスク用の装飾品に転化するに好適な絵はがきを提供する。【解決手段】片面側を絵画や書で飾り、他の片面側を発信人や受信人の表示面３とした、長方形状の保形性の有る厚紙主体１で構成する。そして、該厚紙主体１に、該厚紙主体１を長手方向に等分に区画する折目ａを筋押し手段によって形成する。【選択図】図３
0003159507.tif 000002
【実用新案登録請求の範囲】
【請求項１】
片面側を絵画、書で飾り、他の片面側を発信人や受信人の表示面とした、長方形状の保形性の有る厚紙主体で成り、該厚紙主体に、該厚紙主体を長手方向に等分に区画する折目を筋押し手段によって形成した、絵はがき。
【請求項２】
厚紙主体を、実物の屏風を縮小した大きさにした、請求項１記載の絵はがき。
【考案の詳細な説明】
【技術分野】
【０００１】
本考案は、デスク上の装飾品として使用することのできる絵はがきに関するものである。
【背景技術】
【０００２】
所謂絵はがきは、その片面に表示した絵画、書、或いは写真などを楽しむものであるが、平面的なものであるため、当該絵等をデスク上の装飾品として用いるに適さない（自立できないから）。
【０００３】
このため、当該絵はがきに自立できる装置を施して写真立てなど別体の手段を用意する必要のない形態のものが案出されており、その一つとして、はがき表面に、該はがきの対角線上に折目を設け、該折目に沿って二つ折りにして水平部分と立ち上り部分を設け、水平部分をデスク上に配して立ち上り部分に施された絵画や書を観賞するようにした構造のものがある（例えば、特許文献１）。
【先行技術文献】
【特許文献】
【０００４】
【特許文献１】実開平８−１２７４号公報
【考案の概要】
【考案が解決しようとする課題】
【０００５】
前記従来例は、はがきを対角線上に沿って折ることにより自立できる形態を得る構造になっているため、絵画や書を紙面全域に施した絵はがきに適用できず、はがき紙面に施す絵画等の表現に制約を受け、必ずしも実用的ではない。
【０００６】
本考案は、斯様な従来例の欠点に着目し、はがき紙面全域を活用でき、従って、デスク用の装飾品に転化するに好適な絵はがきを提供することを目的として案出したものである。
【課題を解決するための手段】
【０００７】
片面側を絵画、書で飾り、他の片面側を発信人や受信人の表示面とした、長方形状の保形性の有る厚紙主体で成り、該厚紙主体に、該厚紙主体を長手方向に等分に区画する折目を筋押し手段によって形成したことを基本的手段とする。
【考案の効果】
【０００８】
本考案によれば、通常の絵はがきと同様の取り扱いができることは勿論、各折目を折ることによって、屏風の雛形を得られ、自立させて配することのできる、斬新な構造のデスク上の装飾品として利用できる。
【０００９】
そして、折目は厚紙主体表面を筋刃などで押圧して（筋押しして）形成したものであるので、宛名等を書くに邪魔にならず、しかも、該折目が宛名を書く範囲の目安にすることができる。そして、片面に表示した絵画や書は折目が邪魔になることなく実物の屏風を縮小したものを得ることができ、趣味感を尚一層満足させる、デスク用装飾品に転化できる絵はがきを提供できる。
【図面の簡単な説明】
【００１０】
【図１】正面図。
【図２】背面図。
【図３】自立させた状態の斜視図。
【図４】厚紙主体と折目の関係を示す略示平面図。
【実施例】
【００１１】
図中、Ａは本考案に係る絵はがきで、絵はがきＡは、長方形状の、ボール紙等の、保形性の有る厚紙主体１で成り、該厚紙主体１の片面全域に絵画、書などを印刷表示して鑑賞物の鑑賞面２とし、他の片面を受信人や発信人の表示面３としたものである。
【００１２】
そして、厚紙主体１には、該厚紙主体１を長手方向に等分に区画する折目ａを等間隔を置いて設け、前記表示面３側を基準として、該折目ａ，…を、谷方向と山方向に折って、デスク上の装飾品として転化、利用するようにしてある。
【００１３】
実施例の絵はがきＡは、美術館や展覧会の展示物である屏風を縮小し、殊に、その内面（日本画や書が描かれた）を前記鑑賞面２に対応させてはがき大に縮尺して、みやげ物として適用したもので、鑑賞面２を著名（有名）な絵画、書を縮小したものにすることにより展覧会等に限らず、絵はがきとして一般小売店の販売品目として供することができる。
【００１４】
厚紙主体１に施した折目ａは、厚紙に筋刃を押し付けて形成した、筋押しという技法で形成したもので、厚紙に対する物理的な操作によって形成することにより、厚紙主体１を当該折目ａにおいて折り易く、また、折った個所が、違和感なく屏風の接ぎ目もどきのものとして認識させることができる。
【符号の説明】
【００１５】
Ａ      絵はがき
１      厚紙主体
２      鑑賞面
３      表示面
ａ      折目
【図１】
0003159507.tif 000003
【図２】
0003159507.tif 000004
【図３】
0003159507.tif 000005
【図４】
0003159507.tif 000006
【手続補正書】
【提出日】平成22年3月19日(2010.3.19)
【手続補正１】
【補正対象書類名】実用新案登録請求の範囲
【補正対象項目名】全文
【補正方法】変更
【補正の内容】
【実用新案登録請求の範囲】
【請求項１】
片面側を絵画、書で飾り、他の片面側を発信人や受信人の表示面とした、長方形状の保形性の有る厚紙主体で成り、該厚紙主体に、該厚紙主体を長手方向に等分に区画する折目を筋押し手段によって形成した、絵はがき。
(57)【要約】      （修正有）【課題】電話の音声が難聴者でも聞き取り易い受信用イヤホーン付電話機を提供する。【解決手段】電話機が受話器に受信用イヤホーンを取り付け、該受信用イヤホーンを耳に差し込むことによって、電話相手の声が逃げることなく、また外部の雑音も入ってこないため難聴者にとって、相手の声が聞き取り易くなって、通常の会話が出来るようになる。また、難聴になった高齢者も前記の理由で聞き取り易くなり、電話での会話ができるようになり、引き籠もりが減少して生活スタイルを変えることが出来る。【選択図】図１
0003159562.tif 000002
【実用新案登録請求の範囲】
【請求項１】
イヤホーン付き受話器
【請求項２】
イヤホーン付き電話機
【考案の詳細な説明】
【技術分野】
【００１】本考案は、電話機と受話器に関する。
【背景技術】
【００２】従来の電話機は、耳元に当てる受信部と口元に当てる発進部だけの機能であった。
【考案の開示】
【考案が解決しようとする課題】
【００３】従来の受話器は、電話相手の声が受信部と耳との間から逃げたり外部の雑音が聞こえてきたりして、難聴者には聞き取りにくい構造であり、難聴の度合いが進んだ人は、まったく聞こえず電話で会話することができなかった。そして、高齢者の方も歳を重ねるたびに難聴になって、電話での会話が出来なくなってしまい、そのうちに電話にも出なくなってしまっていた。
【課題を解決するための手段】
【００４】従来の受話器に難聴者が受信用に使用するイヤホーンを取り付けて難聴者が電話で会話する時には、そのイヤホーンを耳につけて使用する。
【考案の効果】
【００５】従来の受話器は、相手の声が受信部と耳との間から逃げたり外部の雑音が聞こえてきたりして、難聴者には聞き取りにくかった。
本考案の受信用イヤホーンを耳に差し込むことによって、相手の声が逃げることなく、また外部の雑音も入ってこないため難聴者にとって、相手の声が聞き取り易くなって、通常の会話が出来るようになる。また、難聴になった高齢者の方も聞き取り易くなって電話で会話できるようになり、引き籠もりが減少して生活スタイルを変えることが出来る。
【考案を実施するための最良の形態】
【００６】電話機か受話器に受信用イヤホーンを取り付ける。
【実施例】
【００７】
【産業上の利用可能性】
【００８】
【図面の簡単な説明】
【００９】
【図１】受話器に取り付けた受信用イヤホーン
【図２】電話機に取り付けた受信用イヤホーン
【符号の説明】
【０１０】▲１▼  イヤホーン
【図１】
0003159562.tif 000003
【図２】
0003159562.tif 000004
(57)【要約】      （修正有）【課題】室内に設置して鑑賞する炭を素材とした置物において、接触時に汚れが付着するのを防止することができる観賞用物置を提供する。【解決手段】所要の形状に外観加工した炭の表面を、荒さの異なるブラシを用いてこする事により炭表面を平滑化し、接触しても汚れの付着しない室内用の鑑賞置物が得られる。なお、平滑化に当っては、ブラシの目の粗さが荒いもので炭表面をこすることにより平滑化し、以下順により細かな荒さのブラシに切り替えて炭表面を平滑化することにより鏡面に近くなるまで加工するものである。【選択図】図１
0003159561.tif 000002
【実用新案登録請求の範囲】
【請求項１】
木炭や竹炭等からなり、所要の形状に加工された炭の表面が平滑化工されていることを特徴とする鑑賞用置物
【考案の詳細な説明】
【技術分野】
【０００１】  本発明は室内で観賞するための置物に関し、更に詳しくは炭を素材として加工した鑑賞用置物に関する。
【背景技術】
【０００２】    従来、脱臭用等を目的として木炭等を室内に設置することにより、室内の悪臭除去を目的としたものが知られている。
【考案の概要】
【考案が解決しようとする課題】
【０００４】    従来品は炭の持つ脱臭効果のみに着目しているため、素手で触ると炭が付着して汚れるばかりでなく、その形状も製造された炭を適宜の大きさに切断しているのみであり、室内で使用するには風情がないといった問題があった。
【課題を解決するための手段】
【０００５】  そこで本考案では、木炭や竹炭等からなり、所要の形状に加工された炭の表面が平滑化工されていることを特徴とする。
【考案の効果】
【０００６】  本考案では、炭の形状を室内鑑賞するにふさわしい所要の形状に加工したのち、その表面を平滑加工しているので、手で触れても汚れがつかないばかりか、形状も審美性を備えたものにしているので室内鑑賞用として好適な置物を得ることができる。
【図面の簡単な説明】
【０００７】
【図１】  本考案を用いて作成した鑑賞用置物
【考案を実施するための形態】
【０００８】    以下、図面を参照しながら本考案を説明する。図１は本考案を用いて製造した鑑賞用置物の全体を表す図であり、（１）は鑑賞用置物の本体となる炭であり、（２）は鑑賞用に外径加工された炭の平滑加工された表面を表している。
【０００９】    炭自体の外径加工は、切断、切削等の機械加工により、室内鑑賞にふさわしくなるように適宜に加工する。
【００１０】    外径加工された炭は、そのままでは接触時に汚れが付着するため、ブラシの目の粗さが荒いもので炭表面をこすることにより平滑化し、以下順により細かな荒さのブラシに切り替えて炭表面を平滑化することにより鏡面に近くなるまで加工するものである。
【符号の説明】
【００１１】（１）        炭本体
（２）        表面
【図１】
0003159561.tif 000003
(57)【要約】      （修正有）【課題】一本の線材で形成する衣服用ハンガーにおいて、プレスや捻り加工が不要で簡易に製造可能な構成を提供する。【解決手段】１本の線材を曲げ加工のみ、ハンガーを吊るすためのフック部２、ハンガー本体を構成し、線材の末端部７と本体首部３を、チューブ５で接続した接続部６からなることを特徴として衣服用ハンガーを形成する。【選択図】図１
0003159528.tif 000002
【実用新案登録請求の範囲】
【請求項１】
１本の線材の曲げ加工で、ハンガー本体１とフック部２とで構成し、線材の末端部７と本体首部３を、チューブ５で接続した接続部６からなることを特徴とする衣服用ハンガー。
【請求項２】
前記チューブ５はチューブ内部形状５−１を断面が丸形状の線材を２本、密に挿入できるように、瓢箪型にしたことを特徴とした請求項１に記載の衣服用ハンガー。
【考案の詳細な説明】
【技術分野】
【０００１】
１本の線材で構成した衣服用ハンガーに関する。
【背景技術】
【０００２】
従来は１本の線材で形成する場合、プレスや捻り加工などの強加工で接合する。
首部と末端部分を接合する為に図３のようにフック状に引っ掛けたり、図４のように、
捻ったりという構成である。
【先行技術文献】
【特許文献】
【０００３】
【特許文献１】特開平９−１０３３５４公報
【考案の概要】
【考案が解決しようとする課題】
【０００４】
従来の衣服用ハンガーには以下の課題がある。
１）１本の線材で形成する場合に、プレスや捻り加工などの強加工で接合する必要がある。
２）ハンガーの首部と、線材の末端部分を接合する為に、フック状に引っ掛けたり捻ったりという加工が必要で作業工数が増える。
【課題を解決するための手段】
【０００５】
１本の線材の曲げ加工で、ハンガー本体１とフック部２とで構成し、線材の末端部７と本体首部３を、チューブ５で接続した接続部６からなることを特徴とする衣服用ハンガー。
【０００６】
前記チューブ５はチューブ内部形状５−１を断面が丸形状の線材を２本、密に挿入できるように、瓢箪型にしたことを特徴とする衣服用ハンガー。
【考案の効果】
【０００７】
１）１本の線材を簡単な曲げ加工で済む。
・  接合部分はチューブ５で行い、プレスや捻り加工などの強加工の必要性がない。
・  線材が太くなっても、簡単に加工ができる。
【図面の簡単な説明】
【０００８】
【図１】本考案の衣服ハンガーの構成図
【図２】本考案のチューブの構成図
【図３】従来の衣服ハンガーの構成図
【図４】従来の衣服ハンガーの別構成図
【考案を実施するための形態】
【０００９】
本考案の実施例を図１〜図２で説明する。
本考案の衣服用ハンガーは、図１に示すように、１本の線材を曲げ加工したハンガーを吊るすためのフック部２、ハンガー本体、及び、１本の線材の開始端とは異なる他端である末端部７と本体首部３を、チューブ５で接続した接続部６からなる。
１本の線材をフック部２、ハンガー本体１の形に加工した後、線材にチューブ５を通し、本体首部３に位置する箇所で、図１のように、線材の末端部７にチューブ５を挿入して接続して接続部６を形成する。チューブ５は樹脂などで構成し、その内部は線材を２つ挿入し、きつく締め付ける瓢箪型の形状をしている。
【００１０】
又、本考案の衣服用ハンガーは、図２に示すように、チューブ５のチューブ内部形状５−１を瓢箪型にすることにより、フック部２、本体首部３、本体肩部４を通りやすくし、末端部７と本体首部３を強固に接続する。
【産業上の利用可能性】
【００１１】
１本の線材により低コストで製造できる衣服用ハンガーを提供する。
【符号の説明】
【００１２】
１  ハンガー本体
２  フック部
３  本体首部
４  本体肩部
５  チューブ
５−１チューブ内部形状
６  接合部
７  末端部
【図１】
0003159528.tif 000003
【図２】
0003159528.tif 000004
【図３】
0003159528.tif 000005
【図４】
0003159528.tif 000006